(57)【要約】【目的】温風暖房機に備える送風ファンと燃焼ファンを一体に構成することによって、消費電力やコストの低減を実現する。【構成】枠体１の前面に形成した温風吹出口２と、枠体１の背面に形成した室内空気吸込口３との間の枠体１内に空気流路４を配置し、バーナ６へ燃焼空気を供給する燃焼ファン８と、該燃焼ファン８を駆動するファンモータ１０を取付けたファンケース９を室内空気吸込口３付近の空気流路４内に配置し、ファンケース９の吐出口９ａをバーナ６の給気口６ａに接続する。燃焼ファン８の駆動軸１０ａは空気流路４の前面側に伸ばし、駆動軸１０ａに取付けたプロペラファン５ａによって送風ファン５を構成する。燃焼ファン９と送風ファン５はファンモータ１０によって回転し、室内空気吸込口３から空気流路４内に吹込まれた室内空気は、ファンケース９からバーナ６へ供給され、また、空気流路４の前面側に送られて温風となって温風吹出口２から吹出す。【選択図】          図１
2004263920.tif 000002
【特許請求の範囲】
【請求項１】
枠体１の前面に形成した温風吹出口２と、かつ枠体１の背面に形成した室内空気吸込口３とを備え、該室内空気吸込口３から温風吹出口２の間の枠体１内に空気流路４を配置し、該室内空気吸込口付近３の空気流路４には送風ファン５を取付けると共に、前記枠体１内にはバーナ６と、該バーナ６に接続する燃焼室７とを備え、該燃焼室７を前記空気流路４内に配置して、送風ファン５で空気流路４内に吹き込まれた室内空気の温度を高め、温風吹出口２から室内に戻す温風暖房機において、
前記バーナ６への燃焼空気を供給する燃焼ファン８のファンケース９の吐出口９ａと、バーナ６の給気口６ａとを接続し、かつ燃焼ファン８を駆動するファンモータ１０を取付けたファンケース９を、前記室内空気吸込口３付近の空気流路４内に配置し、該燃焼ファン８の駆動軸１０ａを空気流路４の前面側に伸ばし、該駆動軸１０ａにプロペラファン５ａを取付けて前記送風ファン５を構成することを特徴とする温風暖房機の送風装置。
【請求項２】
前記室内空気吸込口３付近の空気流路４内には空気流通部１１ａを設けたファンケースベース板１１を配置し、
前記ファンケース９とファンモータ１０はファンケースベース板１１を介して空気流路４壁に固定したことを特徴とする請求項１に記載した温風暖房機の送風装置。
【請求項３】
前記空気流路４内には中央に開口１２ａを設けてその周囲を封鎖する仕切り板１２を設け、
該仕切り板１２は開口１２ａに前記プロペラファン５ａを配置してベルマウスとすると共に、
該仕切り板１２よりも枠体背面側の空気流路４壁に空気口４ａを設け、
該プロペラファン５ａは枠体１内を経た空気を温風吹出口２に送ることを特徴とする請求項１に記載した温風暖房機の送風装置。
【請求項４】
前記枠体１の背面に形成した室内空気吸込口３には、熱交換用の空気のためのフィルターよりも目の細かな燃焼空気ろ過用のフィルター１３を配置し、
該フィルター１３を通過した空気をプロペラファン５ａに供給し、空気流路４内に綿埃の侵入を防止することを特徴とする請求項１に記載した温風暖房機の送風装置。
【請求項５】
前記温風吹出口２に連なる空気流路４内に高電圧発生器１４のマイナス電圧が印加される電極１５を取付け、マイナスイオン発生機能を備えた請求項４に記載した温風暖房機の送風装置。
【発明の詳細な説明】
【０００１】
【産業上の利用分野】
この発明は温風暖房機の送風装置に関するものである。
【０００２】
【従来の技術】
温風暖房機の枠体の前面に設けた温風吹出口と背面に設けた室内空気吸込口との間の枠体内には空気流路が設けてあり、室内空気吸込口付近の空気流路には室内空気を吹き込む送風ファンが取付けられている。そして、枠体内に設置したバーナに接続する燃焼室と熱交換室が空気流路内に配置されているから、送風ファンによって空気流路に吹き込まれた室内空気は燃焼室や熱交換室の熱で高温になり、温風吹出口から室内に吹き出して暖房するものである。
【０００３】
枠体内にはバーナに燃焼空気を供給する燃焼ファンが前記送風ファンと別個に取付けられ、バーナに供給される燃料は燃焼ファンによって送られる空気によって燃焼するものである。
【０００４】
また、枠体内に配置されたバーナや空気流路を流れる温風からの放熱により枠体内が高温となるが、枠体内に配置された各種電装部品は高温に弱く、枠体内が高温になるとトラブルが発生しやすくなるので、従来の枠体には空気孔を設け、この空気孔から枠体内に低温の室内空気を流入させ、また、枠体内の高温空気を枠体外に排出させて、枠体内を低温度に維持している。
【０００５】
【発明が解決しようとする課題】
上記構成において、空気流路に配置された送風ファンと枠体内に配置された燃焼ファンにはそれぞれファンモータが取付けられ、温風暖房機の運転中は送風ファンと燃焼ファンが常に回転するものであり、送風ファンと燃焼ファンを駆動するファンモータには常に通電されているので、２個のファンモータによる消費電力は大きくなる。
【０００６】
また、送風ファンや燃焼ファンに取付けたファンモータは重量があり、送風ファンや燃焼ファンの脱落や振動の発生を防止するために送風ファンや燃焼ファンの取付けには強度が必要となり、送風ファンや燃焼ファンは各々の取付けに際して固定と補強の為の部品点数が多く、取付け構造が複雑になっており、コストアップにつながっている。
【０００７】
また、温風暖房機は室内に設置して使用するものであるから、コンパクトな枠体形状のものが好まれる傾向にあるが、枠体のコンパクト化を進めると枠体内に各種の機能部品が詰め込まれて空間がなくなり、枠体内の空気の流れが悪くなって枠体内を低温度に維持することが難しくなり、高温に弱い各種電装部品がバーナや空気流路に接近して加熱されやすくなる問題点があった。
【０００８】
また、従来の温風暖房機は、空気流路内への綿埃の侵入を防ぐため、室内空気吸込口にフィルターが取付けてあるが、フィルターが目詰まりを起こしたときに空気流路が高温となるため、目の粗いものが使用されている。
【０００９】
【課題を解決するための手段】
この発明は上記の課題を解決するもので、枠体１の前面に形成した温風吹出口２と、かつ枠体１の背面に形成した室内空気吸込口３とを備え、該室内空気吸込口３から温風吹出口２の間の枠体１内に空気流路４を配置し、該室内空気吸込口付近３の空気流路４には送風ファン５を取付けると共に、前記枠体１内にはバーナ６と、該バーナ６に接続する燃焼室７とを備え、該燃焼室７を前記空気流路４内に配置して、送風ファン５で空気流路４内に吹き込まれた室内空気の温度を高め、温風吹出口２から室内に戻す温風暖房機において、前記バーナ６への燃焼空気を供給する燃焼ファン８のファンケース９の吐出口９ａと、バーナ６の給気口６ａとを接続し、かつ燃焼ファン８を駆動するファンモータ１０を取付けたファンケース９を、前記室内空気吸込口３付近の空気流路４内に配置し、該燃焼ファン８の駆動軸１０ａを空気流路４の前面側に伸ばし、該駆動軸１０ａにプロペラファン５ａを取付けて前記送風ファン５を構成するものである。
【００１０】
また、前記室内空気吸込口３付近の空気流路４内には空気流通部１１ａを設けたファンケースベース板１１を配置し、前記ファンケース９とファンモータ１０はファンケースベース板１１を介して空気流路４壁に固定したことで、送風ファン５と燃焼ファン９の取付け構造を簡略化することができる。
【００１１】
また、前記空気流路４内には中央に開口１２ａを設けてその周囲を封鎖する仕切り板１２を設け、該仕切り板１２は開口１２ａに前記プロペラファン５ａを配置してベルマウスとすると共に、該仕切り板１２よりも枠体背面側の空気流路４壁に空気口４ａを設け、該プロペラファン５ａは枠体１内を経た空気を温風吹出口２に送ることで、枠体１内の高温空気が排出されて枠体内を低温度に維持できる。
【００１２】
また、前記枠体１の背面に形成した室内空気吸込口３には、熱交換用の空気のためのフィルターよりも目の細かな燃焼空気ろ過用のフィルター１３を配置し、該フィルター１３を通過した空気をプロペラファン５ａに供給し、空気流路４内に綿埃の侵入を防止することができる。
【００１３】
また、前記温風吹出口２に連なる空気流路４内に高電圧発生器１４のマイナス電圧が印加される電極１５を取付け、マイナスイオン発生機能を備えることで、マイナスイオン発生機を兼用させることができる。
【００１４】
【作用】
この発明では、枠体１の背面に形成した室内空気吸込口３付近の空気流路４内に燃焼ファン８のファンケース９を配置し、燃焼ファン８の駆動軸１０ａを空気流路４の前面側に伸ばして、この駆動軸１０ａに取付けたプロペラファン５ａで送風ファン５を構成したもので、送風ファン５と燃焼ファン８が１つのファンケース９の周囲に一体で構成できるようになった。そして、ファンモータ１０に通電してファンモータ１０を駆動すると、燃焼ファン８とプロペラファン５ａが一緒に回転し、室内空気吸込口３から空気流路４内に室内空気が吹込まれる。
【００１５】
室内空気吸込口３から空気流路４に吹込まれた室内空気は、燃焼ファン８によってファンケース９に取込まれ、燃焼空気としてバーナ６に供給されると共に、プロペラファン５ａによって空気流路４の前面側に送られて燃焼室７の熱で高温となって温風吹出口２から室内に吹出すことができる。
【００１６】
また、室内空気吸込口３付近に配置されたファンモータ１０は室内空気吸込口３から空気流路４内に向かう空気流によって冷却され、ファンモータ１０を低温度に維持することができる。
【００１７】
また、空気流路４内にはファンケースベース板１１を配置し、このファンケースベース板１１にファンモータ１０を備え、かつ、燃焼ファン８と送風ファン５とを備えたファンケース９を取付けることで、ファンモータ１０と燃焼ファン８と送風ファン５とが一緒に空気流路４壁に固定できるようになった。更に、ファンケースベース板１１には空気流通部１１ａを設け、室内空気吸込口３から吹込まれた室内空気は空気流通部１１ａを通過して空気流路４の前面側に送られ、温風となって温風吹出口２から吹出している。
【００１８】
また、空気流路４内に仕切り板１２を設け、プロペラファン５ａを仕切り板１２の開口１２ａに配置してベルマウスとしたから、プロペラファン５ａによって温風吹出口２に向けて空気が流れやすくなる。更に、仕切り板１２よりも背面側の空気流路４壁には空気口４ａを設けたから、空気流路４に向けて枠体１内の空気が空気口４ａから仕切り板１２の開口１２ａに向かうようになり、枠体１内の高温空気が排出され枠体１内を低温度に維持できるものとなった。
【００１９】
また、枠体１の背面の室内空気吸込口３には燃焼空気ろ過用のフィルター１３を取付けることで、空気流路４内への綿埃の侵入を防ぐことができるから、バーナ付近に綿埃が溜まることがなくなった。
【００２０】
更に、空気流路４内に高電圧発生器１４のマイナス電圧が印加される電極１５を配置することで、電極１４付近の空気をマイナスイオン化し、送風ファン５の空気流によって温風吹出口３から吹出すことでマイナスイオン発生機を構成できるから、マイナスイオン発生機を兼用させることができる。
【００２１】
【実施例】
図に示す実施例によってこの発明を説明すると、１は温風暖房機の枠体、６は枠体１内に配置したバーナ、７はバーナ６の上部に配置してバーナ６の燃焼炎と燃焼ガスとが送られる燃焼室である。２は枠体１の前面に設けた温風吹出口、３は枠体１の背面に設けた室内空気吸込口、４は温風吹出口２から室内空気吸込口３の間の枠体１内に配置した空気流路、５は室内空気吸込口３付近の空気流路４に取付けた送風ファンであり、バーナ６の上部や燃焼室７は空気流路４内に配置されている。
【００２２】
８はバーナ６に燃焼空気を供給する燃焼ファン、９は燃焼ファン８の外周を覆う送風スクロールを構成するファンケース、１０はファンケース９に取付けた燃焼ファン８を駆動するファンモータ、１０ａはファンモータ１０からファンケース９内に伸びる駆動軸であり、燃焼ファン８は駆動軸１０ａに固着してファンケース９内に収納され、空気流路４内に配置されている。
【００２３】
６ａはバーナ６へ燃焼空気を供給する為の給気口、９ａはファンケース９に形成した送風スクロールの吐出口、９ｂはファンケース９に開口した燃焼空気取入口であり、ファンケース９の吐出口９ａをバーナ６の給気口６ａまで伸ばして接続している。前記ファンモータ１０が駆動して駆動軸１０ａに固着した燃焼ファン８が回転すると、燃焼空気取入口９ｂからファンケース９内に取込んだ空気は吐出口９ａからバーナ６に供給される。
【００２４】
１６はバーナ６を燃焼可能温度に上昇させる点火兼用の予熱ヒータ、１７はバーナ６に燃料を供給する燃料ポンプであり、温風暖房機の運転を開始すると予熱ヒータ１６に通電してバーナ６を燃焼可能温度に上昇させ、次に燃焼ファン８や燃料ポンプ１７を駆動し、燃料はバーナ６内で着火して燃焼を開始し、燃焼室７で完全燃焼するようになっている。
【００２５】
図に示す実施例の温風暖房機はファンヒータとよばれる燃焼ガスを室内に放出するタイプの暖房機であり、燃焼室７の上部が空気流路４内に開口しており、燃焼ガスは空気流路４に送られる。
【００２６】
上記の温風暖房機において、送風ファン５を運転すると、室内空気は空気流路４に吹込まれ、燃焼室７から送られる高温の燃焼ガスと混合して空気流路４内の室内空気の温度が高められ、温風となって温風吹出口２から室内に吹出している。
【００２７】
ところで、従来の一般的な温風暖房機は燃焼ファン８と送風ファン５とを別個に配置しており、燃焼ファン８を駆動するファンモータ１０とは別に、空気流路４内に配置された送風ファン５を駆動するファンモータを備えているが、重量のあるファンモータを備えた送風ファン５や燃焼ファン８を支え、かつ、送風ファン５や燃焼ファン８が回転するときの振動の発生を抑えるために取付け強度が必要であり、固定と補強の為の部品点数が多く、取付け構造が複雑になっている。
【００２８】
また、温風暖房機の運転中にバーナ６に燃焼空気を供給する為の燃焼ファン９と、温風を作り出す送風ファン５は常に回転するものであり、送風ファン５と燃焼ファン８を駆動するファンモータは常に通電されているため、消費電力が大きくなってしまっている。
【００２９】
また、枠体１内に配置されたファンモータ１０や燃料ポンプ１７などの電装部品は高温に弱く、温風暖房機の運転中はバーナ６や空気流路４を流れる温風からの熱によって枠体１内が高温になり易く、枠体１内が高温になると各種電装部品のトラブルが発生し易くなるから対策が必要である。この為、枠体１にたくさんの空気孔をあけており、冷たい室内の空気が枠体１内に流入し、暖められた空気が枠体１外へ流出することで、枠体１内を低温に維持している。
【００３０】
しかし、最近ではコンパクトな枠体形状の温風暖房機が好まれる傾向にあり、電装部品の小型化や配置などの工夫によってコンパクト化を実施しているが、枠体１のコンパクト化が進めば枠体１内の空間が狭くなり、各種の機能部品が詰め込まれて枠体１内の空間がなくなるので、枠体１内の空気の流れが悪くなって枠体１が高温となりやすく、高温に弱い各種電装部品がバーナ６や空気流路４に接近して加熱されやすくなってしまう。
【００３１】
また、ファンモータに通電して送風ファン５や燃焼ファン８を回転すると、ファンモータから発熱するものであり、ファンモータに熱がこもらないように冷却する必要がある。空気流路４に配置された送風ファン５のファンモータは室内空気吸込口３から吹込まれる室内空気で冷却されるが、高温となる枠体１内に配置された燃焼ファン８のファンモータ１０は十分な放熱が得られず、ファンモータ１０の耐久性を低下させている。
【００３２】
この発明は上記の課題を解決するもので、燃焼ファン８とファンモータ１０を取付けたファンケース９は、燃焼ファン８が空気流路４の前面側に、ファンモータ１０を空気流路４の背面側に位置するようにして室内空気吸込口３付近の空気流路４内に配置し、ファンケース９の吐出口９ａを下方に伸ばして枠体１の下部に設置したバーナ６の給気口６ａに接続している。
【００３３】
５ａは前記送風ファン５を構成するプロペラファンであり、前記燃焼ファン８の駆動軸１０ａを空気流路４の前面側に伸ばしてファンケース９から空気流路４内に突出させ、この駆動軸１０ａの先端にプロペラファン５ａを固着することによって送風ファン５を構成したから、ファンモータ１０と燃焼ファン８と送風ファン５が１つのファンケース９の周囲に一体で構成できるものとなった。
【００３４】
温風暖房機の運転を開始してファンモータ１０に通電し、ファンモータ１０が駆動すると、駆動軸１０ａに固着した燃焼ファン８とプロペラファン５ａが一緒に回転し、室内空気吸込口３から空気流路４に室内空気が吹込まれる。
【００３５】
ファンケース９の燃焼空気取入口９ｂは室内空気吸込口３側の駆動軸１０ａの周囲に開口し、空気流路４に吹込まれた室内空気は燃焼ファン８によって燃焼空気取入口９ｂからファンケース９内に取込まれ、また、ファンケース９の前面側に位置するプロペラファン５ａによってファンケース９の前面側に廻り込んで空気流路４に送られる。
【００３６】
ファンケース９内に取込まれた空気は、燃焼空気としてファンケース９の吐出口９ａからバーナ６に供給される。一方、空気流路４に送られた空気は高温の燃焼室７と燃焼室７から送られる混合ガスによって温度を高めて温風吹出口２から室内に吹出すことができる。
【００３７】
このように、燃焼ファン８と送風ファン５を１個のファンモータ１０によって駆動することができれば、温風暖房機の運転中の消費電力を抑えることができるので、温風暖房機の省エネルギー性能を向上することができた。
【００３８】
また、ファンモータ１０と燃焼ファン８と送風ファン５を一緒に空気流路４内に配置することによって枠体１内の配置効率がよくなり、また、従来２個必要であったファンモータが１個になることで枠体１内に空間が生まれ、部品点数も減少するので、枠体１のコンパクト化やコストダウンが可能となる。
【００３９】
また、空気流路４内に配置されたファンモータ１０は、室内空気吸込口３から空気流路４に吹込まれる低温の室内空気によって冷却されるから、コンパクトな枠体形状でも十分な放熱が得られるものとなり、ファンモータ１０の耐久性を向上することができるものとなる。
【００４０】
ファンケース９の取付け構造を示す実施例として、１１は室内空気吸込口３付近の空気流路４内に配置したファンケースベース板であり、この発明の実施例では、ファンケースベース板１１を逆Ｌ字状の部品で構成しており、ファンケースベース板１１のＬ字状部品水平部が空気流路４の上部壁に取付けられ、ファンケースベース板１１のＬ字状部品垂直部の端が枠体１の下部に取付けられている。１１ａはファンケースベース板１１に設けた空気流通部であり、該空気流通部１１ａによって室内空気吸込口３と空気流路４とを連通している。
【００４１】
ファンケース９を枠体１内に取付けるときは、プロペラファン５ａを空気流路４内に挿入し、ファンケース９の吐出口９ａをバーナ６の給気口６ａに接続した状態で、ファンケース９をファンケースベース板１１にネジ止めなどで固定するものであり、ファンケース９に一体に構成したファンモータ１０と燃焼ファン８と送風ファン５とが一緒に空気流路４壁に取付けることができるから、簡単な構造で確実に取付けができるものとなった。
【００４２】
また、室内空気吸込口３から空気流路４内に吹込まれた室内空気は、空気流通部１１ａから空気流路４の前面側に送られており、空気流路４に送られる空気量を確保している。
【００４３】
更に、１２は空気流路４内に設けた仕切り板、１２ａは該仕切り板１２の中央に設けた開口であり、該仕切り板１２の開口１２ａにプロペラファン５ａを配置し、空気流路４のプロペラファン５ａの周囲は仕切り板１２によって封鎖されてベルマウスを形成したから、空気流路４内に吹込まれた空気は開口１２ａから前面側の空気流路４に向かって流れやすくなり、空気流路４内で乱流を起こすことなく温風吹出口２に向かう空気流を確実に作り出すことができる。
【００４４】
４ａは仕切り板１２よりも背面側の空気流路４壁に設けた空気口であり、枠体１内の空気は空気口４ａから仕切り板１２の後部の空気流路４内に吸込まれ、空気流路４の室内空気流と一緒に仕切り板１２の開口１２ａから温風吹出口２に向かうものとなる。この為、バーナ６や空気流路４を流れる温風からの熱で高温となった枠体１内の空気は空気口４ａから排出されやすくなり、枠体１内には室内の空気が流入しやすくなるから、枠体１内を低温度に維持できるものとなった。
【００４５】
１３は室内空気吸込口３に配置したフィルターであり、該フィルター１３は熱交換用の空気のためのフィルターよりも目の細かな燃焼空気ろ過用のものを使用しており、空気中の綿埃はフィルター１３によって捕集され、プロペラファン５ａにはこのフィルター１３を通過した空気を供給している。
【００４６】
従来の温風暖房機では、室内空気吸込口３には目の粗い熱交換用のフィルターが使用されていたが、従来の熱交換用のフィルターでは空気流に乗って綿埃が空気流路４内に侵入しやすく、空気流路４内に大量の綿埃が堆積すると枠体１の異常加熱などの不具合を引き起こす原因となるので、取扱者が空気流路４内を定期的に清掃する必要があるが、空気流路４内の清掃は温風暖房機を分解して行なわなければならず、非常に面倒であった。
【００４７】
一方、室内空気吸込口３に目の細かなフィルターを使用するとフィルターの目詰まりが発生したときに枠体１内の冷却空気流が確保できず、枠体１が異常加熱する恐れがあるが、この発明の構造では、フィルター１３の目詰まりが発生したときには、空気口４ａから枠体１内の空気が空気流路４に送られるので、枠体１が異常加熱することがなく、室内空気吸込口３に目の細かなフィルター１３を使用することができ、空気流路４内に侵入する綿埃の量が非常に少なくなり、フィルター１３を定期的に清掃すればよく、メンテナンス性に優れたものとなった。
【００４８】
更に、この発明の他の実施例において、１５は空気流路４内に先端を位置させた電極、１４は枠体１に取付けてプラス側を枠体１にアースする高電圧発生器であり、高電圧発生器１４のマイナス側の出力を電極１５に接続している。高電圧発生器１４に通電すると、枠体１にアースされて空気流路４壁はプラスとなり、電極１５がマイナスとなるからコロナ放電を開始して電極１５付近の空気はマイナスイオン化する。プロペラファン５ａを運転すると、室内空気が電極１５付近のマイナスイオン化した空気を温風と一緒に温風吹出口２から吹出して、マイナスイオン発生機が構成できる。
【００４９】
このように、マイナスイオン発生機能を備えた温風暖房機を構成したものにおいて、電極１５に大量の綿埃が付着するとバーナ６の熱で引火する恐れがあるが、この発明では室内空気吸込口３に目の細かなフィルター１３を配置し、空気中の綿埃は室内空気吸込口３に配置したフィルター１３によって捕集されるから、空気流路４内に侵入する綿埃の量は非常に少なく、空気流路４内に配置した電極１５への綿埃の付着を防止することができ、温風暖房機にマイナスイオン発生機能を付加しても安定した作動が期待できる。
【００５０】
なお、この発明の実施例ではファンヒータとよばれる燃焼ガスを室内に放出するタイプの温風暖房機で説明しているが、燃焼室７の上部に熱交換室を配置し、燃焼ガスを室外に排出する吸排気タイプの温風暖房機であっても同様の効果を得ることができる。
【００５１】
【発明の効果】
以上のようにこの発明では、燃焼ファン８のファンケース９を室内空気吸込口３付近の空気流路４内に配置し、空気流路４の前面側に伸ばした燃焼ファン８の駆動軸１０ａにプロペラファン５ａを取付けて送風ファン５を構成したものであり、ファンモータ１０と燃焼ファン８と送風ファン５とが一つのファンケース９の周囲に一体で構成できるものとなり、ファンモータを２個備える必要がなくなったから、大幅なコストダウンが実現できた。
【００５２】
そして、ファンケース９に取付けたファンモータ１０を駆動すれば、燃焼ファン８とプロペラファン５ａを一緒に回転することができるから、電力の消費量を抑えることができ、省エネルギー性に優れた温風暖房機を作ることができた。
【００５３】
また、空気流路４に配置したファンモータ１０は、室内空気吸込口３から吹込まれる室内空気によって冷却されるので、ファンモータ１０の内部に熱がこもることはなくなり、ファンモータ１０の耐久性を向上することができるものとなった。
【００５４】
また、室内空気吸込口３付近の空気流路４内にはファンケースベース板１１を配置し、ファンケース９をファンケースベース板１１に取付ける構造とすることで、ファンケース９にはファンモータ１０と燃焼ファン８と送風ファン５が既に取付けられているから、送風ファン５と燃焼ファン８とファンモータ１０が一緒に空気流路４壁に固定できるものとなり、燃焼ファン５と送風ファン８の取付けに必要であった固定や補強の為の部品が削減でき、取付け構造が簡略化できたから、大幅なコストダウンが実現できた。
【００５５】
また、空気流路４内にはプロペラファン５ａの周囲を封鎖するように設けた仕切り板１２によってベルマウスを形成し、仕切り板１２よりも枠体背面側の空気流路４壁に空気口４ａを設けたから、空気流路４内に吹込まれた空気はベルマウスの働きによって温風吹出口２に向かって流れやすくなり、枠体１内の空気が空気口４ａから空気流路４内に流入し、室内空気吸込口３から吹込まれた室内空気流と一緒に温風吹出口２に向かうものとなった。この為、バーナ６や空気流路４の温風の熱で高温となった枠体１内の空気が空気口４ａから空気流路４内に排出され、枠体１内には室内の冷たい空気が流入するから、枠体１を低温度に維持することができ、コンパクトな枠体形状の温風暖房機を作ることが可能となった。
【００５６】
また、室内空気吸込口３には熱交換用のフィルターよりも目の細かい燃焼空気ろ過用のフィルター１３を配置したから、従来では通過していた細かい綿埃を捕集できるものとなり、空気流路４内に流入する綿埃の量は非常に少なく、また、フィルター１５に大量の綿埃が付着したときには、枠体１内の空気が空気口４ａから空気流路４内に送られるから、枠体１の温度を上昇させないだけの空気量は確保できており、安全性とメンテナンス性を向上することができるものとなった。
【００５７】
また、空気流路４内に高電圧発生器１４のマイナス電圧が印加される電極１５を取付けたから、マイナスイオンを含む温風を吹出すことができるようになり、また、空気流路４内に流入する空気中に含まれる綿埃はフィルター１３によって捕集されるから、空気流路４内に流入する綿埃の量は非常に少なく、空気流路４内に配置した電極１５には綿埃が付着しにくくなり、温風暖房機にマイナスイオン発生機能を備えることができた。
【図面の簡単な説明】
【図１】この発明の実施例を示す温風暖房機の断面図である。
【図２】この発明の実施例の要部を示す縦断面図である。
【図３】この発明の実施例の要部を示す横断面図である。
【符号の説明】
１    枠体
２    温風吹出口
３    室内空気吸込口
４    空気流路
４ａ  空気口
５    送風ファン
５ａ  プロペラファン
６    バーナ
６ａ  給気口
７    燃焼室
８    燃焼ファン
９    ファンケース
９ａ  吐出口
１０    ファンモータ
１０ａ  駆動軸
１１    ファンケースベース板
１１ａ  空気流通部
１２    仕切り板
１２ａ  開口
１３    フィルター
１４    高電圧発生器
１５    電極
【図１】
2004263920.tif 000003
【図２】
2004263920.tif 000004
【図３】
2004263920.tif 000005